(57)【要約】【課題】本発明は、ディスプレイ部を備えた蓋体がない状態において、本体単独で電話をかけるか又は電話を受けることができる携帯電話を提供する。【解決手段】本発明に係る携帯電話は、ディスプレイ部を備える蓋体と、前記蓋体に枢着される固定架と、前記固定架に対して着脱可能であり、且つ電話をかけるか又は電話を受けるために用いられる本体と、を備える。【選択図】図１
2011229144.tif 000002
【特許請求の範囲】
【請求項１】
ディスプレイ部を備える蓋体と、
前記蓋体に枢着される固定架と、
前記固定架に対して着脱可能であり、且つ電話をかけるか又は電話を受けるために用いられる本体と、
を備えることを特徴とする携帯電話。
【請求項２】
前記本体にはガイドレールが設けられ、前記固定架にはガイドスロットが設けられ、前記ガイドレールが前記ガイドスロットに挿入されて前記ガイドスロットに沿ってスライド可能であることを特徴とする請求項１に記載の携帯電話。
【請求項３】
前記本体にはソケットが設けられ、前記固定架にはコネクターが設けられ、前記本体が前記固定架内をスライドして、前記コネクターが前記ソケットに挿入される際、前記本体と前記ディスプレイ部とが電気接続されることを特徴とする請求項２に記載の携帯電話。
【発明の詳細な説明】
【技術分野】
【０００１】
本発明は、ディスプレイ部を備えた蓋体がない状態において、本体単独で電話をかけるか又は電話を受けることを可能にする携帯電話に関するものである。
【背景技術】
【０００２】
移動通信技術の発展に伴い、携帯電話は人々の日常生活において不可欠の通信道具として、その体積は小さくなり、その様式及び機能は多様化した。携帯電話は、通信できるばかりでなく、ネットサーフィン、ゲーム、又はメッセージの編集を行うことができる。従来の折畳み式携帯電話において、ディスプレイ部を備えた蓋体と操作部を備えた本体とはヒンジ装置によって開閉自在に枢着され、ディスプレイ部が大部分の電力を消耗し、電力量が不足する場合、携帯電話を起動することができない。このため、重要な電話を受けることができない場合がある。
【発明の概要】
【発明が解決しようとする課題】
【０００３】
本発明の目的は、前記課題を解決し、ディスプレイ部を備えた蓋体がない状態において、本体単独で電話をかけるか又は電話を受けることを可能にする携帯電話を提供することである。
【課題を解決するための手段】
【０００４】
前記目的を達成するため、本発明に係る携帯電話は、ディスプレイ部を備える蓋体と、前記蓋体に枢着される固定架と、前記固定架に対して着脱可能であり、且つ電話をかけるか又は電話を受けるために用いられる本体と、を備える。
【発明の効果】
【０００５】
本発明に係る携帯電話において、電力量が不足する場合、本体を固定架から取り外して、前記本体単独で電話をかけるか又は電話を受けることができる。
【図面の簡単な説明】
【０００６】
【図１】本発明の実施形態に係る携帯電話の分解斜視図である。
【図２】本発明の実施形態に係る携帯電話の分解斜視図である。
【図３】図１に示す携帯電話の第一の方式の斜視図である。
【図４】図１に示す携帯電話の第二の方式の斜視図である。
【図５】図１に示す携帯電話の本体の斜視図である。
【発明を実施するための形態】
【０００７】
図１及び図２を参照すると、本発明の実施形態に係る携帯電話は、折畳み式携帯電話であり、蓋体１０と、前記蓋体１０に枢着される固定架２０と、前記固定架２０にスライド可能に固定される本体３０と、を備える。
【０００８】
前記蓋体１０は、ディスプレイ部１１を備える。前記ディスプレイ部１１は、前記本体３０に対する操作内容を表示するために用いられる。前記操作内容は、メッセージ、ゲーム画面、又は通話状態などを備える。
【０００９】
前記固定架２０は、ヒンジ装置４０によって前記蓋体１０に開閉自在に枢着される。前記固定架２０は、前記ヒンジ装置４０に接続される接続部２１と、前記接続部２１の両端から前記接続部２１に直交するように延在する２つの延在部２３と、を備える。前記接続部２１及び２つの前記延在部２３によって、前記本体３０を収容するための収容空間５０が形成される。前記接続部２１の前記収容空間５０に対向する表面には、コネクター２１１が設けられる。各々の延在部２３には、ガイドスロット２３１が延設される。
【００１０】
前記本体３０の正面には、操作部３１と、前記操作部３１の両側に位置するスピーカー３３と、マイクロフォン３５とが設けられ、前記本体３０の頂部には、ソケット３６が設けられ、前記本体３０の両側には、それぞれ１つのガイドレール３７が設けられる。前記本体３０の２つのガイドレール３７が前記固定架２０の２つのガイドスロット２３１内をスライドするように前記本体３０を推進すると、前記コネクター２１１が前記ソケット３６に挿入されて、前記本体３０と前記ディスプレイ部１１とが電気接続される。
【００１１】
図２及び図３を参照すると、第一の方式によって前記携帯電話を組み立てる場合、前記本体３０の操作部３１を前記携帯電話の内側に向け、前記ソケット３６を前記コネクター２１１に向けてから、前記本体３０の２つのガイドレール３７を前記固定架２０の２つのガイドスロット２３１に挿入する。前記本体３０を推進すると、前記本体３０の２つのガイドレール３７は前記固定架２０の２つのガイドスロット２３１内をスライドし、最終的に前記コネクター２１１が前記ソケット３６に挿入される。このように、前記本体３０と前記ディスプレイ部１１とが電気接続し、前記操作部３１は前記携帯電話の内側に位置する。
【００１２】
図４を参照すると、第二の方式によって前記携帯電話を組み立てる場合、前記本体３０の操作部３１を前記携帯電話の外側に向け、前記ソケット３６を前記コネクター２１１に向けてから、前記本体３０の２つのガイドレール３７を前記固定架２０の２つのガイドスロット２３１に挿入する。前記本体３０を推進すると、前記本体３０の２つのガイドレール３７は前記固定架２０の２つのガイドスロット２３１内をスライドし、最終的に前記コネクター２１１が前記ソケット３６に挿入される。このように、前記本体３０と前記ディスプレイ部１１とが電気接続し、前記操作部３１は前記携帯電話の外側に位置する。
【００１３】
図５を参照すると、前記本体３０を前記固定架２０から取り外して、前記本体３０と前記ディスプレイ部１１とが電気接続しない状態において、電話をかけるか又は電話を受けることができる。特に前記携帯電話の電力量が不足する場合、前記本体３０のソケット３６と前記固定架２０のコネクター２１１とを分離させてから、前記本体３０を前記固定架２０から取り外して、前記本体３０単独で電話をかけるか又は電話を受けることができる。
【００１４】
以上本発明を実施例に基づいて具体的に説明したが、本発明は上述の実施例に限定されるものではなく、その要旨から逸脱しない範囲において、種々変更可能であることは勿論であって、本発明の保護範囲は、以下の特許請求の範囲によって規定される。
【符号の説明】
【００１５】
１０  蓋体
１１  ディスプレイ部
２０  固定架
２１  接続部
２３  延在部
３０  本体
３１  操作部
３３  スピーカー
３５  マイクロフォン
３６  ソケット
３７  ガイドレール
４０  ヒンジ装置
５０  収容空間
２１１  コネクター
２３１  ガイドスロット
【図１】
2011229144.tif 000003
【図２】
2011229144.tif 000004
【図３】
2011229144.tif 000005
【図４】
2011229144.tif 000006
【図５】
2011229144.tif 000007